(57)【要約】【課題】施設の管理部門や管理会社の負担がないか、或いは微少で、カーペットの施工、メンテナンスができるカーペット施工およびメンテナンス方法を提供する。【解決手段】施設３０の床面に、適所に広告入りカーペットを含むカーペットタイルを敷設する工程Ｓ９と、所定の時期に前記カーペットタイルの清掃および交換を行う工程Ｓ１４とを含み、広告入りカーペットを含むカーペットタイルのデザイン、施工及びメンテナンス費用の所定期間における総額が、前記所定期間における前記広告入りカーペットの広告料収入と相殺することができるようにしたカーペット施工およびメンテナンス方法。広告料収入で、カーペットの施工及びメンテナンスができるので、施設の管理部門や管理会社の負担がなく、施設のカーペットを常時、きれいな状態に維持できるとともに、広告主４０も、カーペットを、広告媒体として有効に利用することができる。【選択図】図１
2009003131.tif 000002
【特許請求の範囲】
【請求項１】
施設の床面に、適所に広告入りカーペットを含むカーペットタイルを敷設するカーペット施工工程と、所定の時期に前記カーペットタイルの清掃および交換を行うメンテナンス工程とを含み、前記広告入りカーペットを含むカーペットタイルのデザイン、施工及びメンテナンス費用の所定期間における総額を、前記所定期間における前記広告入りカーペットの広告料収入と相殺することができるようにしたことを特徴とするカーペット施工およびメンテナンス方法。
【請求項２】
前記施設は、大型商業施設あるいは空港である請求項１記載のカーペット施工およびメンテナンス方法。
【発明の詳細な説明】
【技術分野】
【０００１】
本発明は、大型商業施設や空港等、不特定多数の人が利用するエリアの床面へのカーペット施工およびメンテナンス方法に関する。
【背景技術】
【０００２】
ホテルやショッピングモール等の大型商業施設、あるいは空港ロビー等は、不特定多数の人が利用するため、広告を掲示する場所としては好適である。このような場所においては、従来は壁広告等が広告媒体として広く用いられている。
一方、床に、広告を表示したフィルムを敷く床広告という広告手段があり、その認識率の高さのため、欧米においては床広告が普及しつつある。日本においては、自社の商品名や図柄が踏まれることにまだ抵抗があるが、一部、すでに実施されており、今後普及していくことが想定される（例えば、特許文献１，２参照）。
【０００３】
【特許文献１】特開平７−１２４０４７号公報
【特許文献２】特開平８−５６８１０号公報
【発明の開示】
【発明が解決しようとする課題】
【０００４】
一方、多くの人が通行する大型商業施設や空港ロビー等の管理部門や管理会社では、施設の総床面積が広大であるので、カーペットが傷んでも、コスト面で、なかなかメンテナンスが行き届かず、また張り替え等を定期的に行うことが困難であるのが現状である。
そこで本発明は、施設の管理部門や管理会社の負担がないか、或いは微少で、カーペットの施工、メンテナンスができるカーペット施工およびメンテナンス方法を提供することを目的とする。
【課題を解決するための手段】
【０００５】
前記課題を解決するため、本発明のカーペット施工およびメンテナンス方法は、施設の床面に、適所に広告入りカーペットを含むカーペットタイルを敷設するカーペット施工工程と、所定の時期に前記カーペットタイルの清掃および交換を行うメンテナンス工程とを含み、前記広告入りカーペットを含むカーペットタイルのデザイン、施工及びメンテナンス費用の所定期間における総額を、前記所定期間における前記広告入りカーペットの広告料収入と相殺することができるようにしたものである。
【０００６】
本発明においては、施工・メンテナンス会社が、広告入りカーペットおよびカーペットタイルのデザイン、施工、メンテナンスを行う費用を、広告入りカーペットの広告料収入から賄うことで、施設の管理部門や管理会社の負担がないか、或いは微少となる。
前記施設としては、大型商業施設あるいは空港等、カーペットの敷設面積が広い施設とすることにより、本発明のメリットが大きくなる。
【発明の効果】
【０００７】
本発明によれば、施設の床面に、適所に広告入りカーペットを含むカーペットタイルを敷設するカーペット施工工程と、所定の時期に前記カーペットタイルの清掃および交換を行うメンテナンス工程とを含み、前記広告入りカーペットを含むカーペットタイルのデザイン、施工及びメンテナンス費用の所定期間における総額を、前記所定期間における前記広告入りカーペットの広告料収入と相殺することができるようにしたことにより、広告料収入で、カーペットの施工及びメンテナンスができるので、施設の管理部門や管理会社の負担がないか、或いは微少で、施設のカーペットを常時、きれいな状態に維持できるとともに、広告主も、カーペットを、広告媒体として有効に利用することができる。
【発明を実施するための最良の形態】
【０００８】
以下、本発明の実施の形態を説明する。
図１は、本発明の実施の形態を実施するための手法の例を示すフローチャートである。
同図において、１０は施工メンテナンス会社、２０は大型商業施設や空港ロビー等の施設３０を管理ないし所有する施設管理会社（施設管理部門を含む）、４０は広告主（顧客）、５０は広告代理店、６０はカーペットメーカ、７０は提携プリント業者、８０はリース会社を示す。以下、本システムの運用方法について説明する。
【０００９】
ステップＳ１：床面広告媒体使用契約
施設３０を管理する施設管理会社２０と施工・メンテナンス会社１０との間で、床面広告媒体使用契約を結ぶ。
本システムが施設３０にもたらす利益とその必要性、将来性を施設管理会社２０に説明後、具体的なカーペットの種類、デザイン、メンテナンス内容を提示する。同意があったときは、カーペットのリース期間、例えば５年を最低の契約期間とする。
【００１０】
ステップＳ２：スポンサー契約
広告の専門家である広告代理店５０が広告主４０を探し、契約をする。契約期間としては、例えば、空港の壁面広告の契約に合わせて、最低１年とする。
【００１１】
ステップＳ３：広告希望内容申し入れ
広告主４０は、広告代理店５０に、スポンサー契約の初回、または定期的ないし必要時に、広告希望内容を申し入れる。
【００１２】
ステップＳ４：広告デザインの作成
広告面積は、壁面より目立たないことと、歩行中にも広告が認識できるような面積、たとえば４ｍ×５ｍ以上とする。広告代理店５０は、全体のデザインに配慮しながら、いかに人目につき記憶に残るデザインとするかを、専門家を交えて検討、作成する。
【００１３】
ステップＳ５：カーペットの発注
施工・メンテナンス会社１０は、カーペットメーカ６０に対してカーペットタイルを発注する。
【００１４】
ステップＳ６：カーペットタイルの販売
カーペットメーカ６０は、施工・メンテナンス会社１０に対してカーペットタイルを販売する。
【００１５】
ステップＳ７：広告入りプリント柄カーペットの発注
施工・メンテナンス会社１０は、提携プリント業者７０に対して広告入りプリント柄カーペット（以下、「広告カーペット」という。）を発注する。
【００１６】
ステップＳ８：広告カーペットの販売
提携プリント業者７０は、施工・メンテナンス会社１０に対して広告カーペットを販売する。
【００１７】
ステップＳ９：カーペットの施工・交換
施工・メンテナンス会社１０は、施設３０に、カーペットタイル、広告カーペットを施工する。新築、張り替えの場合は、決められた全体デザインに従い、カーペットタイルの施工と広告カーペットを設置する。
【００１８】
ステップＳ１０：システムの販売
施工・メンテナンス会社１０はリース会社８０にシステムの販売を行う。
【００１９】
ステップＳ１１：リース契約
施設管理会社２０はリース会社８０との間でリース契約を行う。
【００２０】
ステップＳ１２：スポンサー契約費用支払い
広告主４０は、施設３０現場での広告カーペットの施工状態を確認した上で、広告代理店５０に、広告料を含むスポンサー契約費用を支払う。なお、支払いの時期は、契約内容に従うので、必ずしもステップＳ１１の後である必要はない。
【００２１】
ステップＳ１３：広告料の支払い
広告代理店５０は、所定の手数料を差し引いて、施工・メンテナンス会社１０に対し、広告料を支払う。なお、支払いの時期は、契約内容に従うので、必ずしもステップＳ１２の後である必要はない。
【００２２】
ステップＳ１４：メンテナンス作業の継続及び広告交換作業
施工・メンテナンス会社１０は、施設３０毎のメンテナンスプログラムを作成し、美観を維持する。また、メンテナンス、広告交換も行う。
【００２３】
ステップＳ１５：広告料の支払い
施工・メンテナンス会社１０は、所定の手数料を差し引いて施設管理会社２０に対し、広告料を支払う。なお、支払いの時期は、契約内容に従うので、必ずしもステップＳ１４の後である必要はない。
【００２４】
ステップＳ１６：リース料の支払い
施設管理会社２０は、リース会社８０に対し、リース料を支払う。なお、支払いの時期は、リース契約内容に従うので、必ずしもステップＳ１５の後である必要はない。
【００２５】
カーペットの施工・メンテナンスは、次の手順で行うことができる。
１．使用するカーペットは、耐久性があり、また移動及び施工が容易に行えるカーペットタイルにする。カーペットタイルとしては、市販の５０ｃｍ×５０ｃｍ、あるいは特注の１００ｃｍ×１００ｃｍ等の正方形のものが使用できる。
【００２６】
２．施設３０における現場クリーニングは、除塵・シミの除去・汚れに応じて選択して実施する４種類のクリーニング技法を含むことができる。
【００２７】
（１）除塵作業とシミの除去作業
大型のブラシ付き掃除機で、砂・綿埃などを丁寧に除塵する。
水溶性・油性などのシミの種類別に適応する界面活性剤が混入された洗剤で、手作業及び機械でシミの除去を行う。
このように、乾燥した汚れの除去を除塵作業で行い、次のクリーニング工程では取ることのできない頑固な部分的な汚れをシミ除去作業で行うことにより、クリーニングの作業効率と品質を高める。
【００２８】
（２）クリーニングは下記の４種類を汚れの状態や作業の可能な時間を見極めながら組み合わせて行う。
【００２９】
（ａ）パウダークリーニング
プラスチック系またはトウモロコシの芯の部分を粉砕して直径が０．０１ｍｍ以下の細かい微粒子とした粉に、界面活性剤が混入された洗剤を含ませ、その粉をブラシ及び電動ブラシでカーペットに擦り込むことで、汚れを粉に吸着させ洗浄する。
この方法は、カーペットに洗剤などの残留成分が少なく、乾燥時間が極端に短いため、作業効率が高い。
但し、洗浄力が弱いため全体的な軽い汚れの場合に用いる。
【００３０】
（ｂ）スピンボンネットクリーニング
電動で回転する機械の下に、約１ｃｍ程の厚みの繊維製品、例えばタオルの分厚いものを置き、界面活性剤が混入された洗剤をスプレーで撒きながら汚れを繊維に吸着させ洗浄する。
この技法も乾燥時間が短く、洗浄力はパウダー技法よりは強いため、中程度の汚れの場合に用いる。
【００３１】
（ｃ）スチームクリーニング
約６０〜９５度の温水に界面活性剤が混入された洗剤を混入させて、圧力をかけてカーペットに噴射させ、瞬時に洗剤と汚れた温水を回収する、また、先に洗剤をカーペットにスプレーで噴霧し、約６０〜９５度の温水のみを噴射させ、洗剤と汚れた温水を回収する。
この工程は、大量の温水を使用するものの、乾燥時間は短くて洗浄力が強く、カーペットのパイルの中にある多くの埃や残留物などを回収する能力がある。
【００３２】
（ｄ）シャンプークリーニング
界面活性剤が混入された洗剤を出しながら回転するブラシで泡立てて洗浄する、その後、水及び温水を、圧力をかけて噴射し、洗剤や汚れを回収する。
この工程では長い乾燥時間を必要とするが、極度の汚れをクリーニングすることができる。
【産業上の利用可能性】
【００３３】
本発明は、施設の管理部門や管理会社の負担がなく、施設のカーペットを常時、きれいな状態に維持できるとともに、広告主も、カーペットを、広告媒体として有効に利用することができるカーペット施工およびメンテナンス方法として、大型商業施設や空港等において適用することができる。
【図面の簡単な説明】
【００３４】
【図１】本発明の実施の形態を実施するための手法の例を示すフローチャートである。
【符号の説明】
【００３５】
１０  施工・メンテナンス会社
２０  施設管理会社
３０  施設
４０  広告主（顧客）
５０  広告代理店
６０  カーペットメーカ
７０  提携プリント業者
８０  リース会社
【図１】
2009003131.tif 000003